(57)【要約】【課題】300℃程度の高温環境下でのヘッドスペースガス分析にも使用可能であって、低コストで製造可能であり、取り扱いが容易な試料容器、試料容器用蓋及びセプタムを提供する。【解決手段】パーフロロエラストマから成りガラス瓶１１の口を塞ぐ大きさを有するセプタム部材１３１における試料容器１０側の面をアルミ箔１３２で覆う。これにより、試料容器１０の加熱によりセプタム部材１３１からガスが発生してもそのガスはアルミ箔１３２で遮蔽される。従って、セプタム部材１３１からのアウトガスが試料容器１０内の試料ガスに混入しない。また、セプタム部材１３１は高い耐熱性を有するパーフロロエラストマから成るため、300℃程度の高温環境下で使用しても軟化せず、試料容器内のガスの圧力によって変形することがない。【選択図】図２
2011106869.tif 000002
【特許請求の範囲】
【請求項１】
パーフロロエラストマから成り、少なくとも試料容器の口を塞ぐ大きさを有するセプタム部材と、
前記セプタム部材の試料容器側の面を覆う金属膜と
から成ることを特徴とするセプタム。
【請求項２】
前記金属膜が、前記セプタム部材に接着された箔であることを特徴とする請求項１に記載のセプタム。
【請求項３】
前記金属膜が箔であり、該箔と前記セプタム部材が一体成形されたものであることを特徴とする請求項１に記載のセプタム。
【請求項４】
前記金属膜が、前記セプタム部材に成膜された蒸着膜であることを特徴とする請求項１に記載のセプタム。
【請求項５】
請求項１〜４のいずれかに記載のセプタムと、
前記セプタムを試料容器の口に固定するための固定具と
から成ることを特徴とする試料容器用蓋。
【請求項６】
請求項１〜４のいずれかに記載のセプタムと、
前記セプタムにより塞がれる開口を有する容器部と
を備えることを特徴とする試料容器。
【発明の詳細な説明】
【技術分野】
【０００１】
本発明は、ガスクロマトグラフィにおけるヘッドスペースガス分析に好適に用いることができる試料容器に関する。
【背景技術】
【０００２】
ヘッドスペースガス分析法は、試料容器内に収容した液体試料又は固体試料を加熱することにより比較的沸点の低い成分を揮発させて試料容器内の上部空間（ヘッドスペース）に満たし、その空間内のガスをシリンジ等で採取しガスクロマトグラフ装置等の分析装置に導入して分析を行うものである。
【０００３】
ヘッドスペースガス分析に用いられる試料容器は容器を密閉するために一般にシリコンゴムやブチルゴムから成る円板状のセプタムを備える。試料容器内に試料を封入する際には、液体試料又は固体試料を試料容器に入れ、その口をセプタムで塞ぎ、その上から中央が開口するアルミキャップを被せキャップ端部をかしめることにより、セプタムを試料容器の口の縁に密着させ容器を密閉する。試料ガスのサンプリング時には、キャップ中央の開口からセプタムにニードルを刺し、試料容器内のヘッドスペースガスを採取する。
【０００４】
ヘッドスペースガス分析では試料を揮発させるために試料容器を200℃程度まで加熱することがあるが、試料容器の温度が高いとセプタムを構成するシリコンゴムやブチルゴムからガスが発生し、試料ガスに混入することがある。そこで、それを防ぐためにセプタムの試料容器側の面に、シリコンゴム等よりも高い耐熱性を有しアウトガスが発生しにくいＰＴＦＥ（ポリテトラフルオロエチレン）製のシートを貼り付けることが従来より行われている。
【０００５】
近年、試料をより高温の300℃程度まで加熱してヘッドスペースガス分析を行うことが検討されている。しかし、300℃程度の高温環境下ではＰＴＦＥであってもアウトガスが発生しやすい。また、セプタムのゴム部分であるシリコンゴムやブチルゴムが熱で軟化し、試料容器内のガスの圧力によってアルミキャップの開口から盛り上がるように膨らむトラブルも生じやすい。
【０００６】
そこで従来より、300℃程度の高温環境下でも使用可能な試料容器が提案されている（特許文献１参照）。図３(ａ)はそのような試料容器５０の蓋５１付近の断面図であり、図３(ｂ)は蓋５１の分解断面図である。蓋５１は、上面中央に凹部を有しその凹部底面の中央に貫通孔を有する金属製のキャップ本体５２と、キャップ本体５２の凹部に配置されるＯリング５３及びアルミ箔５４と、中央に上下に貫く貫通孔を有する円柱状の金属製の押圧部材５５とを有する。
【０００７】
試料容器５０内から試料ガスを採取する際には、押圧部材５５の貫通孔にニードル５６を挿入してニードル５６先端でアルミ箔５４を破り、さらにニードル５６をＯリング５３の開口及びキャップ本体５２の貫通孔に挿入してニードル５６先端を容器内に入れる。このとき、Ｏリング５３がニードル５６の外周に密着するため、アルミ箔５４が破られた後も容器の気密性が保たれる。このように試料容器５０では容器の密閉にＯリング５３を用いるため、従来の円板状のセプタムよりもゴムの露出面積が小さく試料ガス中にアウトガスが混入しにくい。蓋５１を構成する部材はＯリング５３を除けば全て金属製であるため、高温環境下でもアウトガスが発生せず、熱により変形することもない。
【先行技術文献】
【特許文献】
【０００８】
【特許文献１】実登3147435号公報
【発明の概要】
【発明が解決しようとする課題】
【０００９】
試料容器５０の蓋５１は部品点数が多く各部品の形状が複雑であるため、製造コストが高い。そこで、特許文献１では、蓋５１の構成部材のうちアルミ箔５４のみを使い捨てとし、それ以外の部品は繰り返し使用することによって、ランニングコストを抑えている。
【００１０】
しかし、各部品を繰り返し使用する場合には部品の洗浄が不可欠であり、洗浄に手間が掛かるだけでなく洗浄不良によりコンタミネーションが生じて分析精度が低下するおそれもある。また、蓋５１は一般的な円板状のセプタムよりも複雑な構造を有するため、試料容器への取り付け・取り外しに手間が掛かる。
【００１１】
本発明はこのような点に鑑みてなされたものであり、その目的とするところは、300℃程度の高温環境下でのヘッドスペースガス分析にも使用可能であって、低コストで製造可能であり、取り扱いが容易な試料容器、並びにそのような試料容器に用いられる試料容器用蓋及びセプタムを提供することにある。
【課題を解決するための手段】
【００１２】
上記課題を解決するために成された本発明に係るセプタムは、
パーフロロエラストマから成り、少なくとも試料容器の口を塞ぐ大きさを有するセプタム部材と、
前記セプタム部材の試料容器側の面を覆う金属膜と
から成ることを特徴とする。
【００１３】
また、上記課題を解決するために成された本発明に係る試料容器用蓋は、
上記セプタムと、
前記セプタムを試料容器の口に固定するための固定具と
から成ることを特徴とする。
【００１４】
また、上記課題を解決するために成された本発明に係る試料容器は、
上記セプタムと、
前記セプタムにより塞がれる開口を有する容器部と
を備えることを特徴とする。
【００１５】
セプタム部材は弾性を有するものであり、その弾性により、ニードルが刺されたときにニードル外周に密着して試料容器の気密性を保つ。
【００１６】
パーフロロエラストマは主鎖部や枝分れ部が完全にフッ素化されたエラストマであり、例えば米国デュポン社が開発したKalrez（登録商標）がある。パーフロロエラストマは高い耐熱性を有するため、300℃程度の高温環境下においても軟化せずセプタムとしての機能を保つことができる。
【発明の効果】
【００１７】
本発明に係るセプタム、試料容器用蓋及び試料容器では、試料容器の口を塞ぐ大きさを有するセプタム部材の試料容器側の面が金属膜で覆われているため、試料容器の加熱によりセプタム部材からガスが発生してもそのガスは金属膜で遮蔽される。従って、高温環境下で使用してもセプタム部材からのアウトガスが試料容器内の試料ガスに混入しない。また、セプタム部材は高い耐熱性を有するパーフロロエラストマから成るため、300℃程度の高温環境下で使用しても軟化せず、試料容器内のガスの圧力によって変形することがない。
【００１８】
セプタム部材は円板状等の単純な形状でよいため、加工が容易であり、低コストで製造することができる。また、セプタム部材は従来のアルミキャップ等の固定具を用いて試料容器の口に固定することができ、試料容器への取り付け・取り外しが容易である。
【図面の簡単な説明】
【００１９】
【図１】本発明の一実施例である試料容器の断面図。
【図２】本実施例の試料容器の拡大断面図。
【図３】従来の試料容器を説明する図であり、(ａ)は蓋付近の断面図、(ｂ)は蓋の分解断面図である。
【発明を実施するための形態】
【００２０】
以下、本発明の一実施例である試料容器、試料容器用蓋及びセプタムについて、図面を参照して説明する。図１に示すように試料容器１０は試料が収容される容器部であるガラス瓶１１と、ガラス瓶１１の口を塞ぐ試料容器用蓋１２から成る。試料容器用蓋１２はガラス瓶１１の口の上に配置されるセプタム１３と、セプタム１３をガラス瓶１１の口に固定するためのアルミキャップ１４から成る。
【００２１】
セプタム１３はパーフロロエラストマ製のセプタム部材１３１と、セプタム部材１３１の下面を覆うアルミ箔１３２から成る（図２参照）。セプタム部材１３１は少なくともガラス瓶１１の口を塞ぐことができる大きさを有するものであり、本実施例のセプタム部材１３１はガラス瓶１１の口の外径と同じ径の円板である。
【００２２】
アルミ箔１３２もガラス瓶１１の口を塞ぐ大きさを有するものであり、本実施例のアルミ箔１３２はガラス瓶１１の口の外径と同じ径、つまりセプタム部材１３１と同じ径の円形のものである。なお、箔の材料はアルミに限らず、延性を有する他の金属であってもよい。
【００２３】
セプタム部材１３１とアルミ箔１３２はそれぞれ別部品として扱い、ガラス瓶１１の口へ固定する段階で重ね合わせてもよいが、予め互いに接合させておいてもよい。これにより、ガラス瓶１１への固定時の取り扱いを容易にすることができる。その接合方法としては様々な方法が考えられ、例えば接着剤を用いる方法やセプタム部材１３１の成形時に一体成形する方法等がある。一体成形する場合には、金型内の所定位置にアルミ箔１３２を配置しておき、そこへ液状のパーフロロエラストマを流し込み硬化させればよい。接着や一体成形を行う場合、セプタム部材１３１又はアルミ箔１３２の接合面の表面粗さを大きくすることにより、接合力を高めることができる。
【００２４】
アルミキャップ１４はガラス瓶１１の口に覆い被さるような形状のキャップであり、上面中央に開口を有する。アルミキャップ１４とセプタム１２はそれぞれ別部品として扱い、ガラス瓶１１の口に固定する段階でセプタム１２の上にアルミキャップ１４を被せてもよいが、予めアルミキャップ１３の内側にセプタム１３を嵌め込んでおいてもよい。これにより、ガラス瓶１１への固定時の取り扱いをより容易にすることができる。
【００２５】
ガラス瓶１１の開口にはフランジが設けられている。このフランジには、ガラス瓶１１の開口に被せられたアルミキャップ１４の下端部が内側に折り曲げられて係合する。
【００２６】
試料容器１０内に試料を封入する際には、液体試料又は固体試料をガラス瓶１１に入れ、ガラス瓶１１の口に、アルミ箔１３２、セプタム部材１３１及びアルミキャップ１４をこの順に配置する。このとき、上述したように各部材が予め一体化されていれば、それらをガラス瓶１１の口に配置することが容易である。次に、一般にクリンパと呼ばれるアルミキャップ締め付け工具により、アルミキャップ１４の上面を抑えながらキャップ下端部を内側に折り曲げガラス瓶１１のフランジに係合させる（かしめる）。これにより、アルミキャップ１４とガラス瓶１１の間に挟まれたセプタム部材１３１が縦方向に圧縮され、その弾性力によりガラス瓶１１の口が密閉される。
【００２７】
試料ガスを採取する際には、まず、試料が封入された試料容器１０を加熱することにより比較的沸点の低い試料成分を揮発させ試料容器１０のヘッドスペースに満たす。次に、アルミキャップ１４中央の開口からセプタム１３にニードルを突き刺し、アルミ箔１３２を破り、ニードル先端をガラス瓶１１のヘッドスペースに配置する。そして、シリンジ等によりニードル先端からヘッドスペース内の試料ガスを吸引し採取する。採取した試料ガスはガスクロマトグラフ装置等の分析装置に導入され分析される。
【００２８】
試料容器１０を高温に加熱するとセプタム部材１３１からガスが発生することがあるが、セプタム部材１３１のガラス瓶１１側の面がアルミ箔１３２で覆われているため、そのガスはアルミ箔１３２で遮蔽される。従って、高温環境下で使用してもセプタム部材１３１からのアウトガスが試料容器１０内の試料ガスに混入しない。
【００２９】
セプタム部材１３１は高い耐熱性を有するパーフロロエラストマから成るため、300℃程度の高温環境下で使用しても軟化せず、セプタムとしての機能を保つことができる。
【００３０】
セプタム部材１３１は円板状等の単純な形状でよいため、加工が容易であり、低コストで製造することができる。また、アルミ箔１３２やアルミキャップ１４もプレス加工等により安価に製造することができる。従って、これらの部材はいずれも使い捨てを前提とした消耗品として扱うことができる。
【００３１】
なお、上記実施例は一例であって、本発明の趣旨に添って適宜変形や修正を行えることは明らかである。例えば、セプタム部材１３１の下面をアルミ箔１３２で覆う代わりに、セプタム部材１３１の下面に真空蒸着やスパッタリング等により金属の蒸着膜を成膜してもよい。また、セプタム１３をガラス瓶の口に固定するための固定具として、ガラス瓶１１のフランジに固定されるアルミキャップ１４の代わりに、ガラス瓶の開口付近に設けられた雄ねじに締め込まれるスクリュー式のキャップ等を用いてもよい。
【符号の説明】
【００３２】
１０、５０…試料容器
１１…ガラス瓶
１２…試料容器用蓋
１３…セプタム
１３１…セプタム部材
１３２、５４…アルミ箔
１４…アルミキャップ
５１…蓋
５２…キャップ本体
５３…Ｏリング
５５…押圧部材
５６…ニードル
【図１】
2011106869.tif 000003
【図２】
2011106869.tif 000004
【図３】
2011106869.tif 000005